(57)【要約】【課題】取り扱いが容易であり、筆記具などに好適に適用することが可能な繰出容器を提供する。【解決手段】繰出容器（筆記具）１は、先端が開口した円筒状に形成される本体１０と、本体１０内にその軸線方向に移動自在に収容され、内部にインクが充填された円筒状のインクタンク１１と、インクタンク１１の先端部に保持されるペン芯１２と、本体１０の先端開口部を閉塞する蓋１３と、本体１０の外周面に設けられて当該本体１０の軸線方向に移動自在となった繰出部材１５などから構成される。蓋１３は、本体１０の先端部にヒンジ１４を介し取り付けられて揺動自在に且つ外側に開くように構成され、ヒンジ１４は、蓋１３を本体１０側に付勢して閉じた状態にするばね体を備え、繰出部材１５は、本体１０に形成された貫通穴１０ａ内に挿通されてインクタンク１１の外周面に接続する突起部１５ａを備える。【選択図】図２
2006264105.tif 000002
【特許請求の範囲】
【請求項１】
一端が開口した筒状に形成され、内部に被収容物が収容される容器本体と、前記容器本体の一端開口部を閉塞する蓋と、前記容器本体内に収容された被収容物を該容器本体の軸線方向に移動させて該容器本体の一端開口部から出没させる繰出機構とを備えた繰出容器であって、
前記蓋は、その端部が前記容器本体の前記一端に取り付けられて、揺動自在且つ外側に開くように構成され、
前記繰出容器は、前記蓋をその揺動方向における前記容器本体一端側に付勢して該蓋が閉じられた状態とする付勢機構を更に備えてなることを特徴とする繰出容器。
【請求項２】
前記繰出機構は、前記容器本体内に、前記被収容物とともに該容器本体の軸線方向に移動して前記蓋の内面に当接する当接部を備え、該当接部は、その先端が前記被収容物の先端よりも前記蓋側に延出され、前記容器本体の一端側に移動したときに、前記蓋の内面に当接して該蓋を開けるように構成されてなることを特徴とする請求項１記載の繰出容器。
【請求項３】
前記蓋は、その内面に、前記容器本体の他端側に向けて突出した突出部を備え、
前記繰出機構は、前記容器本体内に、前記被収容物とともに該容器本体の軸線方向に移動して前記蓋の突出部に当接する当接部を備え、該当接部は、前記容器本体の一端側に移動したときに、前記蓋の突出部に当接して該蓋を開けるように構成されてなることを特徴とする請求項１記載の繰出容器。
【発明の詳細な説明】
【技術分野】
【０００１】
本発明は、一端が開口した筒状に形成され、内部に被収容物が収容される容器本体と、前記容器本体の一端開口部を閉塞する蓋と、前記容器本体内に収容された被収容物を該容器本体の軸線方向に移動させて該容器本体の一端開口部から出没させる繰出機構とを備えた繰出容器に関する。
【背景技術】
【０００２】
例えば、ホワイトボードなどに文字を書くための筆記具として、従来から様々なものが提案されており、その一つに、特開平８−２８２１７１号公報に開示されたものが知られている。
【０００３】
この筆記具は、内部にインクが充填され、先端部にペン芯が設けられた円筒状の本体と、本体先端部に着脱自在に装着され、ペン芯を覆うキャップとからなり、このキャップは、使用者によって、使用時には本体から取り外され、不使用時には本体に取り付けられるようになっている。
【０００４】
【特許文献１】特開平８−２８２１７１号公報
【発明の開示】
【発明が解決しようとする課題】
【０００５】
しかしながら、上記従来の筆記具では、これを使用するに当たり、キャップを本体から取り外す必要があるため、取り外したキャップの取り扱いが面倒であるという問題があった。また、使用中であれば、通常、実際に文字を書いていなくても、キャップを本体から取り外した状態にしていることが多いため、インクが蒸発して無くなり易く、逆に、このような問題を解消すべく、実際に文字を書くときにのみ、キャップを取り外すようにすると、当該筆記具の取り扱いが更に面倒なものとなってしまう。
【０００６】
このため、取り扱いが容易であり、インクの無くなり難い筆記具の開発が望まれていた。
【０００７】
本発明は、以上の実情に鑑みなされたものであって、取り扱いが容易であり、筆記具などに好適に適用することが可能な繰出容器の提供をその目的とする。
【課題を解決するための手段】
【０００８】
上記目的を達成するための本発明は、
一端が開口した筒状に形成され、内部に被収容物が収容される容器本体と、前記容器本体の一端開口部を閉塞する蓋と、前記容器本体内に収容された被収容物を該容器本体の軸線方向に移動させて該容器本体の一端開口部から出没させる繰出機構とを備えた繰出容器であって、
前記蓋は、その端部が前記容器本体の前記一端に取り付けられて、揺動自在且つ外側に開くように構成され、
前記繰出容器は、前記蓋をその揺動方向における前記容器本体一端側に付勢して該蓋が閉じられた状態とする付勢機構を更に備えてなることを特徴とする繰出容器に係る。
【０００９】
この発明によれば、繰出容器内に収容された被収容物を使用する際には、使用者は、当該被収容物を容器本体の一端開口部から突出させるべく、繰出機構を操作して被収容物を容器本体の軸線方向に移動させる。すると、被収容物の先端が蓋の内面に当接するため、当該蓋は、容器本体の一端側に向けて移動する当該被収容物により付勢機構の付勢力に抗して揺動せしめられ、外側に開くことになる。そして、被収容物が容器本体の一端開口部から突出する。これにより、使用者は、被収容物を所定の用途に使用することが可能となる。
【００１０】
一方、不使用時には、使用者は、被収容物を容器本体内に引き込むべく、繰出機構を操作して被収容物を容器本体の軸線方向に移動させると、被収容物と蓋との接触状態が解消されるため、当該蓋は、付勢機構の付勢力により容器本体の一端側に向けて揺動せしめられ、閉じた状態となる。これにより、被収容物が容器本体内に収容される。
【００１１】
斯くして、本発明に係る繰出容器によれば、容器本体に蓋を揺動自在に取り付けるとともに、繰出機構によって移動せしめられる被収容物によって当該蓋を外側に開けるようにしているので、従来のように、蓋と容器本体とが分離するようなことはなく、取り扱いが容易である。また、繰出機構の操作により簡単に被収容物を容器本体の一端開口部から出没させることができるので、実際に被収容物を使用するときにのみ、当該被収容物を当該一端開口部から突出させても面倒では無い。
【００１２】
尚、前記繰出機構は、前記容器本体内に、前記被収容物とともに該容器本体の軸線方向に移動して前記蓋の内面に当接する当接部を備え、該当接部は、その先端が前記被収容物の先端よりも前記蓋側に延出され、前記容器本体の一端側に移動したときに、前記蓋の内面に当接して該蓋を開けるように構成されていても良い。このようにすれば、繰出機構の当接部を蓋の内面に当接させて当該蓋の開閉を行うことができるので、被収容物が蓋に触れることがなく、都合が良い。
【００１３】
また、前記蓋は、その内面に、前記容器本体の他端側に向けて突出した突出部を備え、前記繰出機構は、前記容器本体内に、前記被収容物とともに該容器本体の軸線方向に移動して前記蓋の突出部に当接する当接部を備え、該当接部は、前記容器本体の一端側に移動したときに、前記蓋の突出部に当接して該蓋を開けるように構成されていても良い。
【００１４】
このようにすれば、被収容物の突出時における当接部の突出量を小さくすることができるとともに、蓋の揺動領域を広げて当該蓋を大きく開けることができるので、被収容物の使用時に、開いた蓋や当接部が当該繰出容器の使い勝手に悪影響を及ぼすのを効果的に防止することができる。
【００１５】
尚、前記被収容物としては、例えば、内部にインクが収容され、先端部にペン芯が設けられた筒状のペン本体、棒状の化粧品や糊などを挙げることができるが、これらに限定されるものではない。
【発明の効果】
【００１６】
以上のように、本発明に係る繰出容器によれば、繰出機構により被収容物を移動させて突出させるときに、当該被収容物自体や繰出機構の当接部を蓋に当接させて当該蓋を開けるように構成したので、取り扱いが容易であり、また、実際に被収容物を使用するときにのみ、当該被収容物を容器本体の一端開口部から突出させても面倒なことは無い。これにより、当該繰出容器の使い勝手を向上させることができる。
【発明を実施するための最良の形態】
【００１７】
以下、本発明の具体的な実施形態について、添付図面に基づき説明する。尚、図１及び図２は、本発明の一実施形態に係る筆記具の概略構成を示した断面図であり、図３は、図１における矢示Ａ方向の側面図である。
【００１８】
図１乃至図３に示すように、本例の筆記具（繰出容器）１は、例えば、ホワイトボードなどに文字を書くときに使用されるものであり、先端が開口した円筒状に形成される本体（容器本体）１０と、本体１０内にその軸線方向に移動自在に収容され、内部にインクが充填された円筒状のインクタンク（被収容物）１１と、インクタンク１１の先端部に保持されるペン芯１２と、本体１０の先端開口部を閉塞する蓋１３と、本体１０の外周面に設けられて当該本体１０の軸線方向に移動自在となった繰出部材（繰出機構）１５などから構成される。
【００１９】
前記本体１０は、その外周面から内周面に貫通して当該本体１０の軸線方向に設けられるスリット状の貫通穴１０ａを備え、先端部が小さくなった段付き形状に形成されており、当該先端部の横断面形状は、円弧部及び直線部から構成されている。また、前記インクタンク１１は、先端部が小径となった段付き形状に形成されている。
【００２０】
前記蓋１３は、前記本体１０の先端部と同様、円弧部及び直線部からなる平板状の部材から構成されており、当該本体１０の先端部にヒンジ１４を介し取り付けられて揺動自在に且つ外側に開くように構成されている。
【００２１】
前記ヒンジ１４は、本体１０先端部の、円弧部とは反対側の直線部と、蓋１３の、円弧部とは反対側の直線部とをそれぞれ接続しており、このヒンジ１４には、当該蓋１３をその揺動方向における本体１０の先端部側に付勢して閉じた状態にする適宜ばね体（図示せず）（付勢機構）が設けられている。
【００２２】
前記繰出部材１５は、本体１０の貫通穴１０ａを覆うように長手方向が当該本体１０の軸線方向に沿って形成されるとともに、横断面形状が円弧状に形成されており、本体１０外周面側の長手方向中央部には、貫通穴１０ａ内に挿通されてインクタンク１１の外周面に接続する突起部１５ａが設けられている。尚、この突起部１５ａは、本体１０の貫通穴１０ａとともに、繰出部材１５（インクタンク１１）の本体１０軸線方向に沿った移動を案内する役割を果たす。
【００２３】
以上のように構成された本例の筆記具１によれば、使用者は、当該筆記具１を以下のようにして使用することができる。即ち、当該筆記具１を使用するときには、繰出部材１５を本体１０の先端側に移動させると、当該繰出部材１５とともにインクタンク１１及びペン芯１２が本体１０の先端側に移動してペン芯１２が蓋１３の内面（蓋１３の本体１０先端側の面）に当接するため、当該蓋１３は、本体１０の先端側に向けて移動する当該ペン芯１２によりヒンジ１４のばね体（図示せず）の付勢力に抗して揺動せしめられて外側に開き、ペン芯１２及びインクタンク１１の先端部が本体１０の先端開口部から突出する。これにより、使用者は、文字を書くことが可能となる。
【００２４】
一方、当該筆記具１を使用しないときには、繰出部材１５を本体１０の後端側に移動させると、当該繰出部材１５とともにインクタンク１１及びペン芯１２が本体１０の後端側に移動して、インクタンク１１の先端部やペン芯１２と蓋１３との接触状態が解消されるため、当該蓋１３は、ヒンジ１４のばね体（図示せず）の付勢力により本体１０の先端側に向けて揺動せしめられ、閉じた状態となる。これにより、インクタンク１１の先端部及びペン芯１２が本体１０内に引き込まれる。
【００２５】
斯くして、本例の筆記具１によれば、本体１０に蓋１３を揺動自在に取り付けるとともに、繰出部材１５によって移動せしめられるペン芯１２によって当該蓋１３を外側に開けるようにしているので、従来のように、蓋１３と本体１０とが分離するようなことはなく、取り扱いが容易である。また、繰出部材１５を移動させることで、簡単にペン芯１２を本体１０から突出させたり、引き込むことができるので、実際に字を書くときにのみ、当該ペン芯１２を本体１０から突出させるようにしても面倒なことは無く、このようにすることで、インクの蒸発を防止してインクが無くなり難くすることができる。これにより、当該筆記具１の使い勝手を向上させることができる。
【００２６】
以上、本発明の一実施形態について説明したが、本発明の採り得る具体的な態様は、何らこれに限定されるものではない。
【００２７】
上例の筆記具１では、ペン芯１２を蓋１３に当接させて当該蓋１３を開けるように構成したが、これに限られるものではなく、図４乃至図６に示すようにして筆記具２０を構成することもできる。尚、図４及び図５は、本発明の他の実施形態に係る筆記具の概略構成を示した断面図であり、図６は、図４における矢示Ｂ方向の側面図である。
【００２８】
前記筆記具２０は、前記筆記具１と同様に、前記本体１０，インクタンク１１，ペン芯１２，蓋１３，ヒンジ１４及び繰出部材１５などから構成されており、前記本体１０先端部の、ヒンジ１４が取り付けられた側の内周面には、本体１０の軸線方向に平行な溝１０ｂが形成され、前記蓋１３の内面（蓋１３の本体１０先端側の面）には、本体１０の他端側に向けて突出し、前記本体１０の溝１０ｂ内に挿入される突出部１３ａが形成されている。
【００２９】
また、前記インクタンク１１は、先端部が小径となった多段の段付き形状となっており、当該インクタンク１１の蓋１３側の面には、長手方向が本体１０の軸線方向と平行に設けられて先端部が本体１０の溝１０ｂ内に挿入され、当該溝１０ｂ内を本体１０の軸線方向に移動して蓋１３の突出部１３ａに当接可能となった当接部材２１が付設される。尚、前記繰出部材１５及び当接部材２１が特許請求の範囲に言う繰出機構として機能する。
【００３０】
前記蓋１３の突出部１３ａの突出長さは、当該蓋１３の揺動時に、本体１０の内面やインクタンク１１の先端部、ペン芯１２と干渉しない長さに設定され、前記当接部材２１の長手方向の長さは、先端部がペン芯１２の先端部よりも蓋１３側に突出しないような長さに設定される。また、当該突出部１３ａと当接部材２１とは、これらの間の本体１０軸線方向における距離が、ペン芯１２と蓋１３との間の本体１０軸線方向における距離よりも小さくなるように設けられている。
【００３１】
このように構成された筆記具２０によれば、使用者によって繰出部材１５が本体１０の先端側に移動せしめられると、インクタンク１１，ペン芯１２及び当接部材２１が本体１０の先端側に移動して当接部材２１が蓋１３の突出部１３ａに当接するため、当該蓋１３は、当該当接部材２１によりヒンジ１４のばね体（図示せず）の付勢力に抗して外側に開き、ペン芯１２及びインクタンク１１の先端部が本体１０の先端開口部から突出する。これにより、使用者は、文字を書くことが可能となる。
【００３２】
逆に、使用者によって繰出部材１５が本体１０の後端側に移動せしめられると、インクタンク１１，ペン芯１２及び当接部材２１が本体１０の後端側に移動して当接部材２１と蓋１３の突出部１３ａとの接触状態が解消されるため、当該蓋１３は、ヒンジ１４のばね体（図示せず）の付勢力によって閉じる。これにより、インクタンク１１の先端部，ペン芯１２及び当接部材２１が本体１０内に引き込まれる。
【００３３】
このように、この筆記具２０によれば、上記筆記具１と同様の効果を得ることができる他、当接部材２１を蓋の突出部１３ａに当接させて当該蓋１３を開閉しているので、ペン芯１２が蓋１３に触れて傷むのを防止することができる。また、蓋１３に突出部１３ａを形成することで、ペン芯１２の突出時における当接部材２１の突出量を小さくすることができるとともに、蓋１３の揺動領域を広げて当該蓋１３を大きく開けることができるので、当該筆記具２０の使用時に、開いた蓋１３や当接部材２１が当該筆記具２０の使い勝手に悪影響を及ぼすのを効果的に防止することができる。
【００３４】
また、上例の筆記具１に代えて、図７乃至図９に示すような筆記具３０とすることもでき、この筆記具３０は、前記筆記具１と同様に、前記本体１０，インクタンク１１，ペン芯１２，蓋３１，ヒンジ１４及び繰出部材１５などから構成される。尚、図７及び図８は、本発明の他の実施形態に係る筆記具の概略構成を示した断面図であり、図９は、図７における矢示Ｃ方向の側面図である。
【００３５】
前記蓋３１は、前記蓋１３と同様、ヒンジ１４を介して本体１０の先端部に取り付けられ、揺動自在に且つ外側に開くようになっており、中央部が凹んで形成されるとともに、本体１０の他端側に向けて突出する突出部３１ａが、当該蓋３１の、ヒンジ１４が取り付けられた側の縁部に形成されている。また、この突出部３１ａの突出長さは、当該蓋３１の揺動時に、本体１０の内面やインクタンク１１の先端部、ペン芯１２と干渉しない長さに設定される。
【００３６】
前記インクタンク１１の先端部は、蓋３１の突出部３１ａに当接する当接部として機能するようになっており、当該インクタンク１１の先端部と蓋３１の突出部３１ａとの間の本体１０軸線方向における距離は、ペン芯１２と蓋３１との間の本体１０軸線方向における距離よりも小さくなっている。
【００３７】
このように筆記具３０を構成しても、その使用時には、使用者が繰出部材１５を本体１０の先端側に移動させると、当該繰出部材１５とともにインクタンク１１及びペン芯１２が移動してインクタンク１１の先端部が蓋３１の突出部３１ａに当接し、これによって、当該蓋３１が外側に開いてペン芯１２及びインクタンク１１の先端部が本体１０の先端開口部から突出する。
【００３８】
したがって、このように筆記具３０を構成しても、上記筆記具１や筆記具２０と同様の効果を得ることができる。
【００３９】
また、更に、上例の筆記具１に代えて、図１０乃至図１２に示すような筆記具４０とすることもでき、この筆記具４０は、上述した筆記具２０と蓋１３及び当接部材２１の形状が若干異なるものであり、その他の構成は前記筆記具１や筆記具２０と同様である。具体的には、前記蓋１３は、その突出部１３ａが省略されて構成され、また、前記当接部材２１は、その先端がペン芯１２の先端部よりも蓋１３側に延出されている。尚、図１０及び図１１は、本発明の他の実施形態に係る筆記具の概略構成を示した断面図であり、図１２は、図１０における矢示Ｄ方向の側面図である。
【００４０】
このような筆記具４０によれば、使用者が繰出部材１５を本体１０の先端側に移動させると、インクタンク１１，ペン芯１２及び当接部材２１が移動して当接部材２１が蓋１３の内面に当接し、これにより、当該蓋１３が外側に開いてペン芯１２などが本体１０から突出する。
【００４１】
このように筆記具４０を構成しても、上記筆記具１や筆記具２０、筆記具３０と同様の効果を得ることができるが、ペン芯１２の先端部よりも当接部材２１の先端部の方が突出しているため、文字を書き難いという問題がある。
【００４２】
また、ペン芯１２を本体１０の先端開口部から出没させる機構については、上例のように、繰出部材１５を本体１０の軸線方向に移動させることで、当該ペン芯１２を出没させるものに限られず、例えば、図１３乃至図１５に示すような繰出機構５０や、図１６乃至図１８に示すような繰出機構６０を採用しても良い。
【００４３】
図１３乃至図１５に示した繰出機構５０は、本体１０の後端側からその内部に挿入され、当該本体１０の軸線方向に移動自在に設けられるとともに、インクタンク１１の後端面に当接する繰出部材５１と、インクタンク１１の先端面と本体１０の段付き部との間に配設され、インクタンク１１及び繰出部材５１を本体１０の後端側に付勢するばね体５４などからなる。尚、図１３及び図１４は、本発明の他の実施形態に係る繰出機構などの概略構成を示した断面図であり、図１５は、図１３における矢示Ｅ−Ｅ方向の断面図である。
【００４４】
前記繰出部材５１は、本体１０の後端面から突出する円筒部５２と、コの字状に形成されて、その中央部がインクタンク１１の後端面に当接し、一端側が円筒部５２に接続した係合部５３とを備えており、係合部５３の他端側には、第１及び第２の２つの突起５３ａ，５３ｂが形成されている。
【００４５】
前記本体１０は、その後端側外周面に形成された第１貫通穴１０ｃと、この第１貫通穴１０ｃよりも先端側外周面に、長手方向が本体１０軸線方向に沿って形成されたスリット状の第２貫通穴１０ｄとを備えており、前記第１突起５３ａは、その本体１０後端側の面が、各貫通穴１０ｃ，１０ｄの本体１０後端側の面と係合し、前記第２突起５３ｂは、第２貫通穴１０ｄ内をその長手方向に移動自在に、且つ本体１０外周面よりも外側に突出するように設けられる。また、前記係合部５３の他端側は、本体１０の各貫通穴１０ｃ，１０ｄを閉塞するように設けられている。
【００４６】
この繰出機構５０によれば、使用者が繰出部材５１の円筒部５２後端面を押すと、当該繰出部材５１及びインクタンク１１がばね体５４の付勢力に抗して本体１０の先端側に移動し、ペン芯１２などが本体１０の先端開口部から突出する。また、繰出部材５１の係合部５３の第１突起５３ａと第１貫通穴１０ｃとの係合関係が解除されて、当該第１突起５３ａと第２貫通穴１０ｄとが係合する。
【００４７】
一方、使用者が繰出部材５１の係合部５３の第２突起５３ｂを押すと、当該係合部５３の他端側が撓んで第１突起５３ａと第２貫通穴１０ｄとの係合関係が解除されるため、ばね体５４の付勢力によってインクタンク１１及び繰出部材５１が本体１０の後端側に移動し、第１突起５３ａと第１貫通穴１０ｃとが係合する。
【００４８】
また、図１６乃至図１８に示した繰出機構６０は、本体１０の後端部に、当該本体１０に対して相対回転可能に取り付けられた回転体６１などからなるものであり、本体１０の後端部内周面には螺旋溝１０ｅが形成され、インクタンク１１の後端部外周面には、本体１０の螺旋溝１０ｅと係合する係合突起１１ａが形成される。尚、図１６及び図１８は、本発明の他の実施形態に係る繰出機構などの概略構成を示した断面図であり、図１８は、図１６における矢示Ｆ−Ｆ方向の断面図である。
【００４９】
前記回転体６１には、インクタンク１１の後端側が嵌挿される嵌挿穴６１ａと、インクタンク１１の係合突起１１ａと係合し、回転体６１の軸線方向に沿って設けられる係合溝６１ｂとが形成されており、インクタンク１１は、当該回転体６１の軸線方向に移動自在となっている。また、回転体６１の先端側は、本体１０の後端側に嵌挿されている。
【００５０】
この繰出機構６０によれば、使用者が回転体６１を本体１０に対して相対的に回転させると、当該回転体６１の係合溝６１ｂとインクタンク１１の係合突起１１ａとの係合関係、及び本体１０の螺旋溝１０ｅとインクタンク１１の係合突起１１ａとの係合関係により、インクタンク１１が本体１０の軸線方向に移動するので、これにより、ペン芯１２を本体１０の先端開口部から出没させることができる。
【００５１】
また、上例では、本体１０内に収容する被収容物として、ペン芯１２が設けられたインクタンク１１を一例に挙げたが、これに限られるものではなく、この他、棒状の化粧品や糊などを挙げることができる。
【図面の簡単な説明】
【００５２】
【図１】本発明の一実施形態に係る筆記具の概略構成を示した断面図である。
【図２】本発明の一実施形態に係る筆記具の概略構成を示した断面図である。
【図３】図１における矢示Ａ方向の側面図である。
【図４】本発明の他の実施形態に係る筆記具の概略構成を示した断面図である。
【図５】本発明の他の実施形態に係る筆記具の概略構成を示した断面図である。
【図６】図４における矢示Ｂ方向の側面図である。
【図７】本発明の他の実施形態に係る筆記具の概略構成を示した断面図である。
【図８】本発明の他の実施形態に係る筆記具の概略構成を示した断面図である。
【図９】図７における矢示Ｃ方向の側面図である。
【図１０】本発明の他の実施形態に係る筆記具の概略構成を示した断面図である。
【図１１】本発明の他の実施形態に係る筆記具の概略構成を示した断面図である。
【図１２】図１０における矢示Ｄ方向の側面図である。
【図１３】本発明の他の実施形態に係る繰出機構などの概略構成を示した断面図である。
【図１４】本発明の他の実施形態に係る繰出機構などの概略構成を示した断面図である。
【図１５】図１３における矢示Ｅ−Ｅ方向の断面図である。
【図１６】本発明の他の実施形態に係る繰出機構などの概略構成を示した断面図である。
【図１７】本発明の他の実施形態に係る繰出機構などの概略構成を示した断面図である。
【図１８】図１６における矢示Ｅ−Ｅ方向の断面図である。
【符号の説明】
【００５３】
１    筆記具
１０  本体
１１  インクタンク
１２  ペン芯
１３  蓋
１４  ヒンジ
１５  繰出部材
【図１】
2006264105.tif 000003
【図２】
2006264105.tif 000004
【図３】
2006264105.tif 000005
【図４】
2006264105.tif 000006
【図５】
2006264105.tif 000007
【図６】
2006264105.tif 000008
【図７】
2006264105.tif 000009
【図８】
2006264105.tif 000010
【図９】
2006264105.tif 000011
【図１０】
2006264105.tif 000012
【図１１】
2006264105.tif 000013
【図１２】
2006264105.tif 000014
【図１３】
2006264105.tif 000015
【図１４】
2006264105.tif 000016
【図１５】
2006264105.tif 000017
【図１６】
2006264105.tif 000018
【図１７】
2006264105.tif 000019
【図１８】
2006264105.tif 000020